(57)【要約】      （修正有）【課題】はつり作業と裏込注入作業とを必要とせずに腹起こしを取り付けることができる連続地中壁の構築方法。【解決手段】先行エレメント１内に、プレキャストコンクリート板３と、鉄筋籠４と、プレキャストコンクリート板１の両側面に突設された雄型ガイド５とからなる連結ユニット２を、プレキャストコンクリート板３が建物側に向くようにして建て込んだ後、前記雄型ガイド５と鉄筋籠４の雄型ガイド５側の鉄筋を残して先行エレメント１内にコンクリート９を打設した後、後行エレメント１１を形成し、該後行エレメント１１内に、プレキャストコンクリート板３と、鉄筋籠４と、プレキャストコンクリート板３の両側面に突設された雌型ガイド１３とからなる連結ユニット１２を、雌型ガイド１３を前記プレキャストコンクリート板３の雄型ガイド５に嵌め合わせて建て込んだ後、後行エレメント１１内にコンクリート９を打設する。【選択図】    図２
2004308129.tif 000002
【特許請求の範囲】
【請求項１】
地盤に適宜間隔をもって掘削形成した先行エレメント内に、プレキャストコンクリート板と、その一面から一部が突出した鉄筋籠と、プレキャストコンクリート板の両側面に突設された雄型ガイドとからなる連結ユニットを、プレキャストコンクリート板が建物側に向くようにして建て込んだ後、前記雄型ガイドと鉄筋籠の雄型ガイド側の鉄筋を残して先行エレメント内にコンクリートを打設した後、該先行エレメント間の地盤を掘削して後行エレメントを形成し、該後行エレメント内に、プレキャストコンクリート板と、その一面から一部が突出した鉄筋籠と、プレキャストコンクリート板の両側面に突設された雌型ガイドとからなる連結ユニットを、雌型ガイドを前記プレキャストコンクリート板の雄型ガイドに嵌め合わせて建て込んだ後、後行エレメント内にコンクリートを打設することを特徴とする連続地中壁の構築方法。
【発明の詳細な説明】
【０００１】
【発明の属する技術分野】
本発明は連続地中壁の構築方法に関するものである。
【０００２】
【従来の技術】
建物を構築する際の土留壁として連続地中壁が構築されている。この連続地中壁として、例えば特開２００２−３２２６４１号公報の発明が知られている。この発明は鉄骨鉄筋ユニットを使用しているため、図１０に示すように、連続地中壁２０の建物側をはつり、このはつり面に腹起こし２１を取り付けて、その裏側に裏込モルタル２３を詰め込んでいた。
【０００３】
【特許文献１】
特開２００２−３２２６４１号公報（図１）
【０００４】
【発明が解決しようとする課題】
しかし、上記の連続地中壁は建物側に腹起こしを取り付けるために、はつり作業と裏込注入作業とをしなければならなかった。
【０００５】
本発明はこれらの問題に鑑みてなされたものであり、その目的は、はつり作業と裏込注入作業とを必要とせずに腹起こしを取り付けることができる連続地中壁の構築方法を提供することである。
【０００６】
【課題を解決するための手段】
以上の課題を解決するための連続地中壁の構築方法は、地盤に適宜間隔をもって掘削形成した先行エレメント内に、プレキャストコンクリート板と、その一面から一部が突出した鉄筋籠と、プレキャストコンクリート板の両側面に突設された雄型ガイドとからなる連結ユニットを、プレキャストコンクリート板が建物側に向くようにして建て込んだ後、前記雄型ガイドと鉄筋籠の雄型ガイド側の鉄筋を残して先行エレメント内にコンクリートを打設した後、該先行エレメント間の地盤を掘削して後行エレメントを形成し、該後行エレメント内に、プレキャストコンクリート板と、その一面から一部が突出した鉄筋籠と、プレキャストコンクリート板の両側面に突設された雌型ガイドとからなる連結ユニットを、雌型ガイドを前記プレキャストコンクリート板の雄型ガイドに嵌め合わせて建て込んだ後、後行エレメント内にコンクリートを打設することである。
【０００７】
先行エレメント内の連結ユニットの雄型ガイドをガイドにして、後行エレメントに連結ユニットを建て込むと、この建て込みが簡単にできる。また建物側の地盤を掘削すると、平滑なプレキャストコンクリート板が土留壁の外面となるため、はつり作業や裏込作業が省略でき、工期の短縮を図ることができる。
【０００８】
【発明の実施の形態】
以下、本願発明の連続地中壁の構築方法の実施の形態を図面に基づいて詳細に説明する。この連続地中壁は根切り壁を支持するための土留壁であり、内側に仮設した切梁で支持されるものである。
【０００９】
連続地中壁の構築方法は、はじめに、図１に示すように、連続地中壁の構築箇所に先行エレメント１を、該先行エレメント１と同じ長さの間隙をもって掘削形成する。次に、図２の（１）に示すように、先行エレメント１内に連結ユニット２をプレキャストコンクリート板（以下ＰＣ板という）３が建物側に向くようにして建て込む。
【００１０】
この連結ユニット２は、図２の（２）に示すように、ＰＣ板３の一面に鉄筋籠４の一部が突出され、ＰＣ板３の両側部の長辺方向の全長に雄型ガイド５が突出形成されている。またＰＣ板３の短辺方向に沿って配筋された鉄筋籠４の横筋６は、ＰＣ板３から雄型ガイド５と同じ長さだけ突出している。
【００１１】
次に、図３に示すように、連結ユニット２のＰＣ板３の両側に仕切板７を設置して、該仕切板７とＰＣ板３とで鉄筋籠４を囲む型枠８を形成し、この型枠８内にコンクリート９を打設すると、該コンクリート９の側面から横筋６が突出した先行ユニット１０が形成される。
【００１２】
次に、図４に示すように、先行エレメント１間を掘削して後行エレメント１１を掘削形成する。そして、図５に示すように、先行ユニット１０間の後行エレメント１１に後行側の連結ユニット１２を建て込む。この連結ユニット１２は、ＰＣ板３の両側面の長辺方向の全長にコ字形の雌型ガイド１３を設けた点、および横筋６の先端を絞った点を除いて先行側の連結ユニット２と同じ構成である。
【００１３】
したがって、この連結ユニット１２の雌型ガイド１３を雄型ガイド５にはめ合わせるとともに、絞った横筋６の先端を、先行ユニット１０の横筋６間に挿入して、後行側の連結ユニット１２を建て込むと、雄型ガイド５がガイドとなるため円滑な挿入ができる。
【００１４】
次に、図６に示すように、後行エレメント１１内にコンクリート９を打設すると、建物側にＰＣ板３が位置する連続地中壁１４が構築される。そして、図７に示すように、建物側の地盤１５を根切りすると、平滑なＰＣ板３が現れるため、はつり作業をする必要がない。次に、図８および図９に示すように、このＰＣ板３にブラケット１６を取り付け、これに腹起こし１７を取り付けて切梁１８を架設する。
【００１５】
【発明の効果】
先行エレメント内の連結ユニットの雄型ガイドをガイドにして、後行エレメントの連結ユニットを建て込むことにより、連結ユニットの建て込みが簡単にできる。また建物側の地盤を掘削するとＰＣ板が土留壁の外面となるため、はつり作業や裏込作業が省略でき、工期の短縮を図ることができる。また、はつりガラの発生を防ぐことができるので、環境保全を図ることができる。
【図面の簡単な説明】
【図１】掘削形成した先行エレメントの平面図である。
【図２】（１）は連結ユニットを建て込んだ先行エレメントの平面図、（２）は連結ユニットの正面図である。
【図３】連結ユニットを建て込んだ先行エレメントにコンクリートを打設した平面図である。
【図４】先行エレメント間に後行エレメントを掘削形成した平面図である。
【図５】先行エレメント間の後行エレメントに連結ユニットを建て込んだ平面図である。
【図６】後行エレメントにコンクリートを打設して形成した連続地中壁の平面図である。
【図７】連続地中壁の縦方向の断面図である。
【図８】連続地中壁に腹起こしを設置した断面図である。
【図９】腹起こしに切梁を架設した断面図である。
【図１０】従来の連続地中壁の構築方法を示した断面図である。
【符号の説明】
１  先行エレメント
２  連結ユニット
３  ＰＣ板
４  鉄筋籠
５  雄型ガイド
６  横筋
７  仕切板
８  型枠
９  コンクリート
１０  先行ユニット
１１  後行エレメント
１２  連結ユニット
１３  雌型ガイド
１４、２０  連続地中壁
１５  地盤
１６  ブラケット
１７、２１  腹起こし
１８  切梁
２２  はつり面
２３  裏込モルタル
【図１】
2004308129.tif 000003
【図２】
2004308129.tif 000004
【図３】
2004308129.tif 000005
【図４】
2004308129.tif 000006
【図５】
2004308129.tif 000007
【図６】
2004308129.tif 000008
【図７】
2004308129.tif 000009
【図８】
2004308129.tif 000010
【図９】
2004308129.tif 000011
【図１０】
2004308129.tif 000012